(57)【要約】【目的】本発明は、トルクドライバーのトルク値を計測し検査するために使用するトルクドライバーテスターの改良に関する発明である。【構成】本発明は、トルクドライバーテスターの形成されている突出部に、左支持棒と右支持棒を間隔をおいて着脱可能に取り付け、前記左支持棒と右支持棒間に上下動可能に押圧材を有する押え部材を設けた心出し器を取り付けたことを特徴とする心出し器付トルクドライバーテスターの構成とした。【選択図】　図１
2004144516.tif 000002
【特許請求の範囲】
【請求項１】
トルクドライバーテスターに形成されている突出部に、左支持棒と右支持棒を間隔をおいて着脱可能に取り付け、前記左支持棒と右支持棒間に上下動可能に押圧材を有する押え部材を設けた心出し器を取り付けたことを特徴とする心出し器付トルクドライバーテスター。
【請求項２】
押圧材の先端に半球体状の突起を設けたことを特徴とする請求項１に記載の心出し器付トルクドライバーテスター。
【請求項３】
押圧材の下面を彎曲状の凹部を形成したことを特徴とする請求項１に記載の心出し器付トルクドライバーテスター。
【発明の詳細な説明】
【０００１】
【発明が属する技術分野】
本発明は、トルクドライバーのトルク値を計測し検査するために使用するトルクドライバーテスターの改良に関する発明である。
【０００２】
【従来の技術】
従来、ドライバーのトルク値を計測するにあたっては、図１１に示すようにトルクドライバーテスター８の計測部分にドライバー４の先端を嵌入し手７で支えながら計測する方法がとられていた。
【０００３】
【発明が解決しようとする課題】
しかしながら、手７で押さえながらでの計測では、図１１に示すようにドライバー４が垂直に嵌入せずに線Ａから線Ｂのように傾いたり、傾きや手ぶれをなくすために力を入れてしまったりと、計測する人により計測値が違い、正しい計測値を計ることが難しかった。
【０００４】
そこで、本発明では、テスターに嵌入されたドライバーが傾かず、また手ぶれの影響をうけることがなく、誰が計測しても一定の計測値を出すことが出来るトルクドライバーテスターを提供することを目的とするものである。
【０００５】
【課題を解決するための手段】
本願発明である心出し器付トルクドライバーテスターは、上記の課題を解決するために、トルクドライバーテスターの形成されている突出部に、左支持棒と右支持棒を間隔をおいて着脱可能に取り付け、前記左支持棒と右支持棒間に上下動可能に押圧材を有する押え部材を設けた心出し器を取り付けたことを特徴とする心出し器付トルクドライバーテスターの構成とした。
【０００６】
【実施例】
以下に、添付図面に基づき、本発明である心出し器付トルクドライバーテスターについて詳細に説明する。
【０００７】
図１は、本発明である心出し器付トルクドライバーテスターの斜視図である。図１に示すように、本発明である心出し器付トルクドライバーテスター１は、トルクドライバーテスター２と心出し器３とからなる。
【０００８】
本発明を構成するトルクドライバーテスター２には、図１に示すように、外方に突出する突出部２ｅがＬ字型に設けてある。この突出部２ｅに、心出し器３が着脱可能に取り付けられている。
【０００９】
トルクドライバーテスター２の本体部２ａには、トルクドライバー４の本体部４ａに取り付けられているビット４ｂの先端部を差し込むための取付部材２ｆにより取り付けられているソケット２ｂ、トルクドライバー４のトルク測定値を表示する表示画面２ｃ、外部機器に接続するための出力端子２ｄ、モードを切り替えるためのモード切替ボタン２ｇ、電源のオンオフをするためのスイッチボタン２ｈ、バッテリーをクリアーにするためのバッテリークリアボタン２ｉ、表示画面に表示されている数値を消すための表示画面リセットボタン２ｊ等がある。
【００１０】
図１に示すように、トルクドライバーテスター２に着脱可能に取り付けられている心出し器３は、トルクドライバーテスター２の本体部２ａの突出部２ｅに垂直に取り付ける左右ガイド棒３ａ、３ｂと、前記左右ガイド棒３ａ、３ｂを上下動し、左右挿通孔３ｈ、３ｉが形成されている左右案内部３ｆ、３ｇを有し、中央には下端に突起３ｅを備え下方に垂設されている押圧材３ｄが設けてあるコ字状型の押え部材３ｃとからなる。
【００１１】
図２は、本発明である心出し器付トルクドライバーテスターでトルクドライバーのトルクを計測している状態を示した斜視図である。図２に示すように、トルクドライバー４のトルクを測定する場合には、押え部材３ｃの押圧材３ｄとトルクドライバーテスター２のソケット２ｂ間に垂直にセットしてトルクドライバー４のトルクを計測する。
【００１２】
押圧材３ｄの下端に設けられている先端が半球体状に形成されている突起３ｅの中心は、トルクドライバーテスター２の本体部２ａに設けてあるソケット２ｂの中心からの垂直線３ｌ上の位置にあるようにセットされている。そして、ソケット２ｂには、トルクドライバー４のビット４ｂの先端が嵌合するように十字状の溝が設けてある。
【００１３】
図３は、本発明である心出し器付トルクドライバーテスターの心出し器を構成する押え部材の正面図である。図３に示すように、トルクドライバー４の上端を押さえる押え部材３ｃは、コ字状型の形状である。
【００１４】
押え部材３ｃの左方には左案内部３ｆがあり、押え部材３ｃの右方には右案内部３ｇがあり、中央には押圧材３ｄがある。そして、押圧材３ｄの下端には半球体状の突起３ｅが設けてある。
【００１５】
図４は、本発明である心出し器付トルクドライバーテスターの心出し器の押え部材の押圧材をトルクドライバーの上部に形成されている孔に挿入し押圧する状態を示した拡大斜視図である。
【００１６】
ここで、トルクドライバーには、図４に示すように、トルクドライバー４の本体部４ａの上部の上面４ｃが平坦に形成されていて孔４ｈが形成されているトルクドライバー４と、図８に示したようなトルクドライバー５の本体部５ａの上部の上面５ｃが半球体状に形成されているトルクドライバー５とがある。
【００１７】
図４に示すように、トルクドライバー４の本体部４ａの上部の上面４ｃが平坦に形成されていて孔４ｈが形成されているトルクドライバー４を、本発明であるトルクドライバーテスター２の本体部２ａと心出し器３の押圧材３ｄ間にセットするには、押圧材３ｄの下端の半球体状の突起３ｅをトルクドライバー４の本体部４ａの上面４ｃに形成されている孔４ｈに差し込みセットする。
【００１８】
図５は、本発明である心出し器付トルクドライバーテスターの心出し器を構成する押え部材の縦断面図である。図５に示すように、左案内部３ｆ及び右案内部３ｇ内には、左右ガイド棒３ａ、３ｂを挿通させるための左挿通孔３ｈ及び右挿通孔３ｉが設けてある。
【００１９】
そして、左右挿通孔３ｈ、３ｉの内壁面の４個所に、縦方向に形成した収納溝内に複数個のベアリング３ｊ、３ｋが縦方向に収納されていて、左右ガイド棒３ａ、３ｂ間に取り付けられた押え部材３ｃがスムーズに左右ガイド棒３ａ、３ｂを上下動する構造にしてある。
【００２０】
図６は、本発明である心出し器付トルクドライバーテスターの心出し器に取り付ける押圧材の他の実施例で計測している状態を示した斜視図である。図６に示すように、本例の押圧材６ｄは、図８に示したようなトルクドライバー５の本体部５ａの上部の上面５ｃが半球体状に形成されているトルクドライバー５を心出し器６にセットする場合に使用される押圧材である。
【００２１】
図７は、本発明である心出し器付トルクドライバーテスターの心出し器に取り付ける押圧材の他の実施例の正面図である。図７に示すように、本例のトルクドライバー５の上端を押さえる押え部材６ｃは、押え部材３ｃと同様に、コ字状型の形状である。
【００２２】
押え部材６ｃの左方には左案内部６ｅがあり、押え部材６ｃの右方には右案内部６ｆがある。そして、押え部材６ｃの中央には円盤状の押圧材６ｄが取り付けられている。
【００２３】
図８は、本発明である心出し器付トルクドライバーテスターの心出し器に取り付ける押圧材の他の実施例をトルクドライバーの上部に形成されている球体部に押圧する状態を示した拡大斜視図である。図８に示すように、上面５ｃが半球体状に形成されているトルクドライバー５の上面５ｃを押圧材６ｄの下面に密着させてトルクドライバー５を押さえる。
【００２４】
図９は、本発明である心出し器付トルクドライバーテスターの心出し器に取り付ける押え部材の他の実施例の押圧材の縦断面図である。図９に示すように、押圧材６ｄの下面はトルクドライバー５の半球体状に形成されている上面５ｃが密着するように、彎曲状の凹部６ｎが形成されている。
【００２５】
押圧材６ｄは、押え部材６ｃの中央に穿設されている孔６ｋにネジ６ｌを押圧材６ｄに設けられているネジ山６ｍが形成されているネジ孔６ｏに差し込み螺合させることにより押圧材６ｄを押え部材６ｃに取り付ける。
【００２６】
図９に示すように、左案内部６ｅ及び右案内部６ｆ内には、左右ガイド棒３ａ、３ｂを挿通させるための左挿通孔６ｇ及び右挿通孔６ｈが設けてある。そして、左右挿通孔６ｇ、６ｈの内壁面の４個所に、縦方向に形成した収納溝内に複数個のベアリング６ｉ、６ｊが縦方向に収納されていて、左右ガイド棒３ａ、３ｂ間に取り付けられた押え部材６ｃがスムーズに左右ガイド棒３ａ、３ｂを上下動する構造にしてある。
【００２７】
図１０は、本発明である心出し器付トルクドライバーテスターにより計測されるトルクドライバーの正面図である。トルクドライバー４、５は、本体部４ａの上部には握り部が、中央部にはトルクを調整するためのトルク調整目盛４ｆが、下部にはであるトルクを調節するためのトルク調整リング４ｇがある。また、本体部４ａの下部には、ビット４ｂ、５ｂの先端４ｄ、５ｄは、凹凸状に形成されている。
【００２８】
【発明の効果】
本発明は、以上に説明したような構成であるから、トルクドライバーテスターにトルクを計測しようとするトルクドライバーを迅速に確実にセットすることができ、トルクドライバーのトルクを正確にしかも確実に計測することができる。
【図面の簡単な説明】
【図１】本発明である心出し器付トルクドライバーテスターの斜視図である。
【図２】本発明である心出し器付トルクドライバーテスターでトルクドライバーのトルクを計測している状態を示した斜視図である。
【図３】本発明である心出し器付トルクドライバーテスターの心出し器を構成する押え部材の正面図である。
【図４】本発明である心出し器付トルクドライバーテスターの心出し器の押え部材の押圧材をトルクドライバーの上部に形成されている孔に挿入し押圧する状態を示した拡大斜視図である。
【図５】本発明である心出し器付トルクドライバーテスターの心出し器を構成する押え部材の縦断面図である。
【図６】本発明である心出し器付トルクドライバーテスターの心出し器に取り付ける押圧材の他の実施例でトルクドライバーのトルクを計測している状態を示した斜視図である。
【図７】本発明である心出し器付トルクドライバーテスターの心出し器に取り付ける押圧材の他の実施例の正面図である。
【図８】本発明である心出し器付トルクドライバーテスターの心出し器に取り付ける押圧材の他の実施例をトルクドライバーの上部に形成されている球体部に押圧する状態を示した拡大斜視図である。
【図９】本発明である心出し器付トルクドライバーテスターの心出し器に取り付ける押え部材の他の実施例の押圧材の縦断面図である。
【図１０】本発明である心出し器付トルクドライバーテスターにより計測されるトルクドライバーの正面図である。
【図１１】従来のトルクドライバーテスターでのトルクドライバーのトルクを計測している状態を示した斜視図である。
【符号の説明】
１　　　心出し器付トルクドライバーテスター
１ｂ　　心出し器付トルクドライバーテスター
２　　　トルクドライバーテスター
２ａ　　本体部
２ｂ　　ソケット
２ｃ　　表示画面
２ｄ　　出力端子
２ｅ　　突出部
２ｆ　　取付部材
２ｇ　　モード切替ボタン
２ｈ　　　　スイッチボタン
２ｉ　　　　バッテリークリアボタン
２ｊ　　　　表示画面リセットボタン
３　　　心出し器
３ａ　　左ガイド棒
３ｂ　　右ガイド棒
３ｃ　　押え部材
３ｄ　　押圧材
３ｅ　　突起
３ｆ　　左案内部
３ｇ　　右案内部
３ｈ　　左挿通孔
３ｉ　　右挿通孔
３ｊ　　ベアリング
３ｋ　　ベアリング
４　　　トルクドライバー
４ａ　　本体部
４ｂ　　ビット
４ｃ　　上面
４ｄ　　先端
４ｅ　　凹凸
４ｆ　　トルク調整目盛
４ｇ　　トルク調整リング
４ｈ　　孔
５　　　トルクドライバー
５ａ　　本体部
５ｂ　　ビット
５ｃ　　上面
６　　　支持部
６ａ　　左ガイド棒
６ｂ　　右ガイド棒
６ｃ　　押え部材
６ｄ　　押圧材
６ｅ　　左案内部
６ｆ　　右案内部
６ｇ　　左挿通孔
６ｈ　　右挿通孔
６ｉ　　ベアリング
６ｊ　　ベアリング
６ｋ　　孔
６ｌ　　ネジ
６ｍ　　ネジ山
６ｎ　　凹部
６ｏ　　ネジ孔
７　　　手
８　　　トルクドライバーテスター
【図１】
2004144516.tif 000003
【図２】
2004144516.tif 000004
【図３】
2004144516.tif 000005
【図４】
2004144516.tif 000006
【図５】
2004144516.tif 000007
【図６】
2004144516.tif 000008
【図７】
2004144516.tif 000009
【図８】
2004144516.tif 000010
【図９】
2004144516.tif 000011
【図１０】
2004144516.tif 000012
【図１１】
2004144516.tif 000013